(57)【要約】【課題】搬送される媒体の寸法に応じて媒体に対する吸引力を的確に変更することができ、その媒体を良好に搬送することができる媒体搬送装置及び液体噴射装置を提供する。【解決手段】連続紙Ｓを搬送する搬送部１７と、搬送部１７により搬送される連続紙Ｓを支持可能な支持面２６を有すると共に、該支持面２６には連続紙Ｓの搬送方向と交差する幅方向に亘る領域に吸引孔２７が形成された支持部材２５と、支持部材２５の支持面２６に連続紙Ｓを吸着させるための吸引力を吸引孔２７に対して付与する吸引ファン２９と、吸引力を幅方向の寸法に対応して変更可能な近似式に基づいて制御する吸引力制御部３０と、を備えた。【選択図】図１
2013230570.tif 000002
【特許請求の範囲】
【請求項１】
媒体を搬送する搬送部と、
前記搬送部により搬送される前記媒体を支持可能な支持面を有すると共に、該支持面には前記媒体の搬送方向と交差する幅方向に亘る領域に吸引孔が形成された媒体支持部と、
前記媒体支持部の前記支持面に前記媒体を吸着させるための吸引力を前記吸引孔に対して付与する吸引部と、
前記吸引力を前記幅方向の寸法に対応して変更可能な近似式に基づいて制御する吸引力制御部と、を備えたことを特徴とする媒体搬送装置。
【請求項２】
前記吸引力制御部は、前記媒体の前記幅方向の寸法と前記吸引力との関係から予め導出される一次近似式である前記近似式に基づいて前記吸引力を制御することを特徴とする請求項１に記載の媒体搬送装置。
【請求項３】
前記搬送部は、種類の異なる前記媒体をそれぞれ搬送可能であり、
前記吸引力制御部は、前記媒体の前記種類に対応した複数の前記近似式に基づいて前記吸引力を制御することを特徴とする請求項１又は請求項２に記載の媒体搬送装置。
【請求項４】
前記種類の異なる前記媒体のうち、前記媒体支持部の前記支持面に吸着させるために相対的に高い吸引力を必要とする媒体については、前記吸引力制御部は、前記媒体の前記幅方向の寸法と前記吸引力との関係から予め導出される二次以上の近似式である前記近似式に基づいて前記吸引力を制御することを特徴とする請求項３に記載の媒体搬送装置。
【請求項５】
前記吸引力制御部に対して、前記媒体の前記種類及び前記媒体の前記幅方向の寸法のうち少なくとも一方の情報を入力するための入力部をさらに備えたことを特徴とする請求項３又は請求項４に記載の媒体搬送装置。
【請求項６】
請求項１〜請求項５のうち何れか一項に記載の媒体搬送装置と、
前記媒体支持部に支持された前記媒体に液体を噴射する液体噴射ヘッドと、を備えたことを特徴とする液体噴射装置。
【発明の詳細な説明】
【技術分野】
【０００１】
本発明は、媒体を吸引孔が形成された支持面上に吸着しつつ支持面に沿う方向へ搬送する媒体搬送装置及びこの媒体搬送装置を備えた液体噴射装置に関する。
【背景技術】
【０００２】
従来から、媒体に対して液体を噴射する液体噴射装置として、液体噴射ヘッドからインク（液体）を噴射することで用紙（媒体）に印刷を行うインクジェット式プリンターが広く知られている。こうしたプリンターの中には、支持部材上に支持された用紙に向けて液体噴射ヘッドからインクが噴射される際に、用紙を支持する支持部材に該用紙を吸着して保持させるための吸引孔と吸引装置を備えたものがある。こうした場合の吸引孔は、搬送される用紙の幅方向に亘って複数個設けられ、用紙を吸着することで閉塞されることとなる。
【０００３】
しかし、一般的にプリンターは幅寸法が異なる複数の用紙の印刷を可能とするため、印刷する用紙の幅寸法によっては、用紙の幅方向に亘って設けられた複数個の吸引孔のうち一部の吸引孔が開放されたままの状態となる。そして、そのように閉塞されずに開放されたままとされる吸引孔から空気が吸引され続けると、吸引装置における用紙を吸着する吸引力が低下するといった問題があった。
【０００４】
そこで、特許文献１に記載のシート移動型プロッタは、用紙の幅方向に亘って設けられた複数個の吸引孔のうち、用紙により閉塞されずに開放される吸引孔が多くなるほど（＝搬送する用紙の幅寸法が小さくなるほど）、吸引装置を構成するファンに印加する電圧を高めることにより、吸引力の低下を抑制している。
【先行技術文献】
【特許文献】
【０００５】
【特許文献１】特許第３３２０７６６号公報
【発明の概要】
【発明が解決しようとする課題】
【０００６】
ところで、特許文献１に記載のシート移動型プロッタは、用紙の幅寸法に応じて行われるファンの印加電圧制御を、ある単位幅寸法（７０ｍｍ）で離散化して行っている。このため、ある単位幅寸法の範囲内であれば、用紙の幅寸法が異なっていても、それに合わせたファンの印加電圧制御は行われないこととなる。つまり、単位幅寸法の設定によっては、ファンの印加電圧制御が正しく行われず、用紙を支持部材に対して正しく吸着保持させることができない虞がある。
【０００７】
なお、上記インクジェット式プリンター及びプロッタに限らず、吸引孔が形成された支持面上に吸着しつつ支持面に沿う方向へ媒体を搬送する媒体搬送装置及びこの媒体搬送装置を備えた液体噴射装置にあっては、こうした実情も概ね共通したものとなっていた。
【０００８】
本発明は、上記実情に鑑みて成されたものであり、その目的は、搬送される媒体の寸法に応じて媒体に対する吸引力を的確に変更することができ、その媒体を良好に搬送することができる媒体搬送装置及び液体噴射装置を提供することにある。
【課題を解決するための手段】
【０００９】
上記目的を達成するために、本発明の媒体搬送装置は、媒体を搬送する搬送部と、前記搬送部により搬送される前記媒体を支持可能な支持面を有すると共に、該支持面には前記媒体の搬送方向と交差する幅方向に亘る領域に吸引孔が形成された媒体支持部と、前記媒体支持部の前記支持面に前記媒体を吸着させるための吸引力を前記吸引孔に対して付与する吸引部と、前記吸引力を前記幅方向の寸法に対応して変更可能な近似式に基づいて制御する吸引力制御部と、を備えた。
【００１０】
上記構成によれば、搬送部によって搬送される媒体の幅方向の寸法に応じて、吸引力制御部は近似式に基づいて吸引部の出力を制御することで、媒体支持部の支持面に形成された吸引孔に付与される吸引力が変更される。従って、搬送される媒体の寸法に応じて媒体に対する吸引力を的確に変更することができ、その媒体を良好に搬送することができる。
【００１１】
また、本発明の媒体搬送装置において、前記吸引力制御部は、前記媒体の前記幅方向の寸法と前記吸引力との関係から予め導出される一次近似式である前記近似式に基づいて前記吸引力を制御する。
【００１２】
上記構成によれば、搬送される媒体の幅方向の寸法と一次近似式に基づいて吸引力を制御するため、近似式の導出を容易に行うことができると共に、吸引力の制御に要する時間を短くすることができる。
【００１３】
また、本発明の媒体搬送装置において、前記搬送部は、種類の異なる前記媒体をそれぞれ搬送可能であり、前記吸引力制御部は、前記媒体の前記種類に対応した複数の前記近似式に基づいて前記吸引力を制御する。
【００１４】
上記構成によれば、種類が異なる媒体における、例えば媒体の厚さや媒体の剛性の違いに応じて媒体ごとの近似式を使い分けることによって、種類の異なる媒体を搬送する場合に、その媒体の種類に応じた綿密な吸引力の制御を行うことができる。
【００１５】
また、本発明の媒体搬送装置において、前記種類の異なる前記媒体のうち、前記媒体支持部の前記支持面に吸着させるために相対的に高い吸引力を必要とする媒体については、前記吸引力制御部は、前記媒体の前記幅方向の寸法と前記吸引力との関係から予め導出される二次以上の近似式である前記近似式に基づいて前記吸引力を制御する。
【００１６】
上記構成によれば、例えば、種類の異なる媒体のうち、相対的に高い吸引力を必要とする媒体と相対的に低い吸引力を必要とする媒体とがある場合、相対的に高い吸引力を必要とする媒体に対する吸引力の制御は、二次以上の近似式に基づいて行われる。これによれば、一次近似式と二次以上の近似式を、媒体の種類に応じて使い分けることで、簡単で精度の高い吸引力の制御を行うことができる。
【００１７】
また、本発明の媒体搬送装置は、前記吸引力制御部に対して、前記媒体の前記種類及び前記媒体の前記幅方向の寸法のうち少なくとも一方の情報を入力するための入力部をさらに備えた。
【００１８】
上記構成によれば、入力部から媒体の種類や媒体の幅方向の寸法などの情報を入力することで、吸引力の制御に必要な値を吸引力制御部に入力することができる。
また、本発明の液体噴射装置は、上述した媒体搬送装置と、前記媒体支持部に支持された前記媒体に液体を噴射する液体噴射ヘッドと、を備えた。
【００１９】
上記構成によれば、液体噴射装置において、上述した媒体搬送装置の発明と同様の効果が得られる。
【図面の簡単な説明】
【００２０】
【図１】本発明の実施形態に係るプリンターの概略構成を示す模式図。
【図２】プリンターが備える支持部材の概略平面図。
【図３】吸引力制御を行わない場合の用紙幅に対する吸引力の変化を示すグラフ。
【図４】目標吸引力を得るのに必要なｄｕｔｙ比及びその一次近似式を示すグラフ。
【図５】一次近似式を用いて吸引力制御をした場合の結果を示すグラフ。
【図６】目標吸引力を得るのに必要なｄｕｔｙ比及びその二次近似式を示すグラフ。
【図７】二次近似式を用いて吸引力制御をした場合の結果を示すグラフ。
【発明を実施するための形態】
【００２１】
以下、本発明を液体噴射装置の一種であるインクジェット式プリンター（以下、単に「プリンター」ともいう。）に具体化した一実施形態について、図を参照して説明する。
図１に示すように、プリンター１１は、長尺状の連続紙（媒体）Ｓを繰り出す繰り出し部１３と、繰り出された連続紙Ｓを支持する支持部１４と、支持部１４に支持された連続紙Ｓにインク（液体）を噴射して印刷（記録）を行う記録部１５と、記録部１５にて印刷が行われた連続紙Ｓを巻き取る巻き取り部１６とを備えている。
【００２２】
すなわち、連続紙Ｓにおける搬送方向の最上流側となる位置に繰り出し部１３が配設されると共に、最下流側となる位置に巻き取り部１６が配設されている。そして、繰り出し部１３と巻き取り部１６との間となる連続紙Ｓの搬送経路の途中に連続紙Ｓを搬送する搬送部１７、支持部１４、及び記録部１５が配置される。なお、本実施形態では、搬送部１７及び支持部１４によって媒体搬送装置が構成されている。また、以降は、連続紙Ｓの搬送経路における上流側及び下流側を、単に上流側及び下流側ともいう。
【００２３】
繰り出し部１３には、連続紙Ｓの搬送方向と交差する幅方向（図１では紙面と直交する方向、以下、単に「幅方向」ともいう）に延びる巻き軸２１が回転可能に設けられている。そして、その巻き軸２１には、連続紙Ｓがあらかじめロール状に巻かれた状態で巻き軸２１と一体回転可能に支持されている。すなわち、連続紙Ｓは、巻き軸２１が回転することにより巻き軸２１から繰り出されて、下流側に位置する搬送部１７に搬送される。
【００２４】
繰り出し部１３の下流側に位置する搬送部１７は、巻き軸２１から繰り出された連続紙Ｓを巻き掛けて記録部１５に導く第１中継ローラー２２を備え、該第１中継ローラー２２は、連続紙Ｓの幅方向に延びた状態で回転可能に設けられている。また、搬送部１７における、第１中継ローラー２２よりも下流側となる位置には、搬送ローラー対２３が設けられ、この搬送ローラー対２３が連続紙Ｓを狭持した状態で回転することで、連続紙Ｓは下流側（記録部１５側）に搬送される。また、搬送部１７は、例えば幅方向の寸法（以下、幅寸法ともいう）や厚さ方向の寸法が異なる連続紙Ｓや、材質等の種類の異なる連続紙Ｓを搬送可能としている。
【００２５】
記録部１５において、搬送される連続紙Ｓと対向する位置には、連続紙Ｓの幅方向を長手方向とする長尺状のラインヘッド（液体噴射ヘッド）２４が設けられ、その長手方向の長さは、プリンター１１で扱うことができる最大幅の連続紙Ｓに対応した長さを有している。ラインヘッド２４は、該ラインヘッド２４に形成されるノズル（図示略）から連続紙Ｓにインクを噴射することで印刷を行う。
【００２６】
また、記録部１５と連続紙Ｓを挟んで対向する位置に配置される支持部１４には、ラインヘッド２４に対応して、連続紙Ｓの幅方向を長手方向とする矩形箱状をなす支持部材（媒体支持部）２５が設けられている。支持部材２５は、連続紙Ｓを挟んでラインヘッド２４と対向する面に、搬送される連続紙Ｓを支持可能な支持面２６を有すると共に、該支持面２６には吸引孔２７が支持部材２５の内外を連通するように形成されている。また、支持部材２５における支持面２６とは反対側（図１では下側）となる面には、支持部材２５の内外を連通する開口２８が形成され、この開口２８には、該開口２８を塞ぐようにして吸引ファン（吸引部）２９が設けられている。すなわち、吸引ファン２９が駆動すると、開口２８を介して支持部材２５の内部の空気が吸引されることで、支持面２６に形成される吸引孔２７に吸引力（負圧）が発生する。つまり、吸引ファン２９を駆動することによって、連続紙Ｓを支持面２６上に吸着して保持することが可能となる。
【００２７】
また、吸引ファン２９には、該吸引ファン２９の出力を制御する吸引力制御部３０が電気的に接続され、この吸引力制御部３０は、搬送される連続紙Ｓの幅寸法及び種類に応じて吸引ファン２９の出力を制御することができる。また、吸引力制御部３０には、プリンター１１の使用者が、連続紙Ｓの幅寸法及び種類に関する情報を、吸引力制御部３０に入力するための操作パネル等の入力部３１が電気的に接続されている。なお、図１中の入力部３１は、説明の簡略化のために図示される位置に配置されているが、実際にはプリンター１１の使用者の操作性を考慮した位置に配置されることが望ましい。
【００２８】
また、記録部１５の下流側には、該支持部材２５を挟んで第１中継ローラー２２と対応する位置に第２中継ローラー３２が設けられている。第２中継ローラー３２は、搬送部１７の一部として機能すると共に、上流側となる記録部１５から搬送された連続紙Ｓを下流側となる巻き取り部１６に向けてその搬送方向を変換する。
【００２９】
巻き取り部１６は、第２中継ローラー３２の下流側に巻き取り軸３３を回転駆動可能に備え、記録部１５で印刷が行われた連続紙Ｓを巻き取り軸３３に巻き取る。
図２に示すように、吸引孔２７は、支持部材２５の支持面２６上に幅方向に亘って複数形成されている。より具体的には、プリンター１１が印刷可能な連続紙Ｓの中で、最も幅寸法が大きい最大幅用紙ＷＳよりは幅方向で狭い領域であると共に、最も幅寸法が小さい最小幅用紙ＮＳよりは幅方向で広い領域に亘るように形成されている。ここで、最大幅用紙ＷＳが搬送される場合、支持面２６上では、該支持面２６の幅方向に亘って形成される吸引孔２７の全てを最大幅用紙ＷＳが覆う状態（＝全ての吸引孔２７は閉塞状態）となる。その一方、最小幅用紙ＮＳが搬送される場合は、支持面２６の幅方向に亘って形成される吸引孔２７の一部のみを最小幅用紙ＮＳが覆う状態（＝多くの吸引孔２７は開放状態）となる。ここで、連続紙Ｓの搬送時に開放状態の吸引孔２７が多く存在すると、その開放された吸引孔２７から空気が吸引され続けることで、連続紙Ｓ（特に最小幅用紙ＮＳ）に対する吸引力が低下してしまうため、用紙幅に応じて吸引力を制御することが必要となる。
【００３０】
そこで次に、用紙幅に応じた吸引力制御について説明する。
図３に示すように、吸引ファン２９の出力を一定に維持した状態で、支持面２６上を搬送される連続紙Ｓの用紙幅を変更していくと、該連続紙Ｓに対する吸引力は用紙幅の変化に伴って連続的に変化する。なお、図３は、用紙幅（連続紙Ｓの幅寸法）が１１１８ｍｍ（＝４４インチ）の連続紙Ｓを搬送するときに目標吸引力Ｐ１〜Ｐ３を得るために吸引ファン２９に入力されるｄｕｔｙ比を維持した状態で、用紙幅を小さくしていったときの吸引力の変化（低下）を示す実験結果Ｔ１〜Ｔ３である。この図３を参照すると、基準とした用紙幅（１１１８ｍｍ）に対し、用紙幅が減少するにつれ吸引力（実験結果Ｔ１〜Ｔ３）が低下していく様子を確認できる。これは、上述したように、用紙幅の減少に伴い、閉塞状態から開放状態となる吸引孔２７の個数が増加することが原因となる。
【００３１】
なお、目標吸引力Ｐ１〜Ｐ３とは、種類の異なる連続紙Ｓを搬送する際に該連続紙Ｓを支持面２６に吸着するのに必要とされる吸引力であって、本実施形態では一例として、それぞれ８０Ｐａ，１００Ｐａ，２５０Ｐａに設定した。例えば、トレーシングペーパーなどの比較的剛性の低い薄手の用紙の場合は８０Ｐａに設定され、一般用途の普通紙の場合は１００Ｐａに設定され、光沢紙などの比較的剛性の高い厚手の用紙の場合は２５０Ｐａに設定される。
【００３２】
本実施形態では、図３に示される用紙幅の減少に伴う支持面２６における吸引力の低下を抑制するために、用紙幅の減少に伴い吸引ファン２９へ入力するｄｕｔｙ比を高めて、その吸引力の低下分を補う制御が行われる。さらに、より的確な吸引力の制御を行うために、吸引力制御部３０は、連続紙Ｓの種類（ここでは各目標吸引力Ｐ１〜Ｐ３に対応する薄手・普通・厚手の３種）に対応した複数（３種）の近似式に基づいて吸引力の制御を行う。
【００３３】
そこで次に、この近似式の詳細について説明する。
図４に示すように、実験から求まる、複数（６種）の用紙幅に対して、目標吸引力Ｐ１〜Ｐ３を得るために必要なｄｕｔｙ比Ａ１〜Ａ３はそれぞれ異なる。図４からは、用紙幅の減少に伴い吸引ファン２９に入力されるｄｕｔｙ比が高くなっていることが分かる。なお、ここでいう６種の用紙とは規格用紙であって、幅寸法が４４インチ、３６インチ、２４インチ、及び１７インチの用紙並びにＡ３及びＡ４の用紙である。また、図４には、上述した連続紙Ｓの幅寸法と吸引力との関係を示す実験結果（ｄｕｔｙ比Ａ１〜Ａ３）を基に導出された、用紙幅に対して目標吸引力Ｐ１〜Ｐ３を得るために必要なｄｕｔｙ比を示す一次近似式Ｅｑ１〜Ｅｑ３が併記されている。なお、一次近似式Ｅｑ１〜Ｅｑ３は、用紙幅（ｍｍ）を「ｘ」、目標吸引力Ｐ１〜Ｐ３を得るために必要となるｄｕｔｙ比（％）を「ｙ」としたときに次式（Ｅｑ１）〜（Ｅｑ３）で表現される。
【００３４】
ｙ＝−９．３２×１０−３ｘ＋２７．６  …（Ｅｑ１）
ｙ＝−１．０１×１０−２ｘ＋３３．２  …（Ｅｑ２）
ｙ＝−２．１６×１０−２ｘ＋７６．１  …（Ｅｑ３）
本実施形態のプリンター１１では、この近似式Ｅｑ１〜Ｅｑ３に基づいて、搬送される連続紙Ｓの幅寸法に応じた吸引力の制御が、用紙幅に対して連続的に行われる。因みに、目標吸引力Ｐ１を得るためには一次近似式Ｅｑ１が用いられ、目標吸引力Ｐ２を得るためには一次近似式Ｅｑ２が用いられ、目標吸引力Ｐ３を得るためには一次近似式Ｅｑ３が用いられる。
【００３５】
次に、上記のように構成されたプリンター１１の作用について、搬送される連続紙Ｓの幅寸法及び連続紙Ｓの種類に応じて吸引力制御部３０が行う吸引ファン２９の制御に着目して説明する。
【００３６】
さて、本実施形態のプリンター１１は、印刷を開始する前準備として、使用者の所望の連続紙Ｓが繰り出し部１３の巻き軸２１に配置されると共に、その装着した連続紙Ｓの用紙幅や種類に関する情報が入力部３１を介して入力される。
【００３７】
そして、使用者からプリンター１１に対して印刷の実行命令が行われると、繰り出し部１３から連続紙Ｓが繰り出されると共に、該連続紙Ｓを支持部材２５の支持面２６に吸着させるために吸引ファン２９が駆動される。このとき、吸引力制御部３０は、印刷開始前に使用者から入力された連続紙Ｓに関する情報と予め導出された近似式に関する情報を参照する。そして、その入力情報によれば、支持面２６に吸着させる連続紙Ｓが、例えば用紙幅が８００ｍｍの普通紙である場合、吸引力制御部３０は、一次近似式Ｅｑ２（図４参照）を用いて吸引ファン２９に入力するｄｕｔｙ比を決定する。上述した例であれば、図４に図示されるように、近似式Ｅｑ２を参照することで、用紙幅８００ｍｍからｄｕｔｙ比２５％が決定される。
【００３８】
ここで、図５に示すように、一次近似式Ｅｑ１〜Ｅｑ３に基づいて、各用紙幅に対する吸引ファン２９の制御を行った場合、その吸引力の制御結果Ｂ１〜Ｂ３は目標吸引力Ｐ１〜Ｐ３に対応したものとなる。上述した例であれば、用紙幅が８００ｍｍのときに吸引力制御を行うことで、吸引力は９７Ｐａとなり、目標吸引力Ｐ２の１００Ｐａに対して近い値を取っていることが分かる。また、上述した例に限らず、連続紙Ｓの各用紙幅（規格用紙である幅寸法が４４インチの用紙とＡ４用紙、及び規格外である幅寸法が４００ｍｍ、６００ｍｍ，１０００ｍｍの用紙）に対しても、連続紙Ｓの種類に対しても、目標吸引力Ｐ１〜Ｐ３に対して精度よく制御結果Ｂ１〜Ｂ３を得られていることが分かる。
【００３９】
こうして、一次近似式Ｅｑ１〜Ｅｑ３に基づく吸引力制御を行うことで、連続紙Ｓの用紙幅及び種類が異なる場合であっても、支持部材２５の支持面２６に連続紙Ｓを適切に吸着することができる。そのため、支持部１４に適切に吸着して支持された連続紙Ｓに対して、記録部１５のラインヘッド２４から噴射されたインクは正常に着弾する。そして、記録部１５で正常に印刷が行われた連続紙Ｓは、巻き取り部１６の巻き取り軸３３で巻き取りが行われ、一連の印刷動作が終了する。
【００４０】
ところで、図５に示すように、一次近似式Ｅｑ１〜Ｅｑ３を用いて吸引力の制御を行う場合に、種類の異なる連続紙Ｓのうち支持面２６に吸着させるために高い吸引力（＝目標吸引力Ｐ３）を必要とする連続紙Ｓについては、目標吸引力Ｐ３と制御結果との間に多少の誤差を有していることが確認できる。これは、図４において、必要ｄｕｔｙ比Ａ３の実験結果が用紙幅に対して完全な線形関係になっておらず、一次近似式Ｅｑ３では正確に近似しきれていなかったことが原因である。そこで、上述したように連続紙Ｓを支持面２６に吸着させるために高い吸引力（＝目標吸引力Ｐ３）を必要とする場合には、上述した一次近似式に代えて二次近似式を用いて吸引力の制御を行う。
【００４１】
図６は、図４と同様に実験から求めた用紙幅に対して目標吸引力Ｐ１〜Ｐ３を得るために必要なｄｕｔｙ比Ａ１〜Ａ３を示しているが、実験結果（ｄｕｔｙ比Ａ１〜Ａ３）から導出された二次近似式Ｅｑ４〜Ｅｑ６を併記した点で図４と異なる。なお、二次近似式Ｅｑ４〜Ｅｑ６は、用紙幅（ｍｍ）を「ｘ」、目標吸引力Ｐ１〜Ｐ３を得るために必要となるｄｕｔｙ比（％）を「ｙ」としたときに次式（Ｅｑ４）〜（Ｅｑ６）で表現される。
【００４２】
ｙ＝−２．９０×１０−６ｘ２−５．４７×１０−３ｘ＋２６．６  …（Ｅｑ４）
ｙ＝−６．１８×１０−６ｘ２−１．８６×１０−３ｘ＋３１．１  …（Ｅｑ５）
ｙ＝−１．８７×１０−５ｘ２＋３．２３×１０−３ｘ＋７０．０  …（Ｅｑ６）
また、図４及び図６を比較すると、目標吸引力が低い場合（８０Ｐａ，１００Ｐａ）では近似式の次数による差が見られないが、目標吸引力が高い場合（２５０Ｐａ）では二次近似式のほうが精度良く近似できていることが確認できる。因みに、目標吸引力Ｐ１を得るときには二次近似式Ｅｑ４が用いられ、目標吸引力Ｐ２を得るときには二次近似式Ｅｑ５が用いられ、目標吸引力Ｐ３を得るときには二次近似式Ｅｑ６が用いられる。
【００４３】
ここで、図７に示すように、二次近似式Ｅｑ４〜Ｅｑ６に基づいて、各用紙幅に対する吸引ファン２９の制御を行った場合、その吸引力の制御結果Ｂ４〜Ｂ６は目標吸引力Ｐ１〜Ｐ３に対応したものとなる。図５及び図７を比較すると、目標吸引力が低い場合では近似式の次数による差はないが、目標吸引力Ｐ３が高い場合において、一次近似式を用いた場合よりも精度よく吸引力を制御できていることが確認できる。従って、種類の異なる連続紙Ｓのうち支持面２６に吸着させるために高い吸引力（＝目標吸引力Ｐ３）を必要とする連続紙Ｓを搬送する場合には、二次近似式（この場合、二次近似式Ｅｑ６）に基づいて吸引力を決定することが望ましい。その一方で、目標吸引力が低い場合では、吸引力制御部３０が吸引力を決定する際の、近似式に基づいて行う計算量を軽減するために一次近似式（この場合、Ｅｑ１〜Ｅｑ２）を用いた吸引力の制御が行われることが望ましい。
【００４４】
上記実施形態によれば、以下のような効果を得ることができる。
（１）搬送部１７によって搬送される連続紙Ｓの幅寸法に応じて、吸引力制御部３０は近似式に基づいて吸引ファン２９の入力ｄｕｔｙ比を変更することで、支持部材２５の支持面２６に形成された吸引孔２７に付与される吸引力が変更される。従って、搬送される連続紙Ｓの幅寸法に応じて連続紙Ｓに対する吸引力を的確に（連続的に）変更することができる。
【００４５】
（２）搬送される連続紙Ｓの幅寸法と一次近似式Ｅｑ１〜Ｅｑ３に基づいて吸引力を制御するため、近似式の導出を容易に行うことができると共に、吸引力制御部３０が連続紙Ｓの幅寸法から吸引力を計算するのに要する時間を短くすることができる。
【００４６】
（３）種類が異なる連続紙Ｓにおける、例えば連続紙Ｓの厚さや連続紙Ｓの剛性の違いに応じて連続紙Ｓごとの一次近似式Ｅｑ１〜Ｅｑ３（又は二次近似式Ｅｑ４〜Ｅｑ６）を使い分けることによって、種類の異なる連続紙Ｓを搬送する場合に、その連続紙Ｓの種類に応じた綿密な吸引力の制御を行うことができる。
【００４７】
（４）種類の異なる連続紙Ｓのうち、相対的に高い吸引力Ｐ３を必要とする連続紙（例えば厚手の用紙）Ｓと相対的に低い吸引力Ｐ１，Ｐ２を必要とする連続紙（例えば普通紙・薄手の用紙）Ｓとがある場合、相対的に高い吸引力Ｐ３を必要とする連続紙Ｓに対する吸引力の制御は、二次近似式Ｅｑ６に基づいて行われる。つまり、支持部材２５の支持面２６に吸着させるために高い吸引力を必要とする連続紙Ｓの吸引力を制御するときのように、一次近似式Ｅｑ３で近似すると誤差が大きくなってしまう場合には、二次近似式Ｅｑ６に基づいて吸引力を制御する。これによれば、一次近似式Ｅｑ１〜Ｅｑ３と二次近似式Ｅｑ４〜Ｅｑ６を、連続紙Ｓの種類に応じて使い分けることで、簡単で精度の高い吸引力の制御を行うことができる。
【００４８】
（５）入力部３１から連続紙Ｓの種類や連続紙Ｓの幅方向の寸法などの情報を入力することで、吸引力の制御に必要な値を吸引力制御部３０に入力することができる。
なお、上記実施形態は、以下のような別の実施形態に変更しても良い。
【００４９】
・上記実施形態において、入力部３１は、連続紙Ｓの幅寸法及び連続紙Ｓの種類に関する情報のうち少なくとも一方の情報を自動で検出して吸引力制御部３０に検出情報を入力する検出部に置き換えてもよい。
【００５０】
・上記実施形態において、最小幅用紙ＮＳの幅寸法は２１０ｍｍ(Ａ４用紙の短手寸法)よりも小さくてもよく、最大幅用紙ＷＳの幅寸法は１１１８ｍｍ（４４インチ）よりも大きくてもよい。つまり、使用するプリンター１１によって対象とする連続紙Ｓの幅寸法は自在に変更されるものである。
【００５１】
・上記実施形態において、吸引孔２７は、支持部材２５の幅方向に亘って、該幅方向を長手方向とするスリット状に形成してもよい。また、その場合の吸引孔２７の数は１つでもよいし、それ以上であってもよい。
【００５２】
・上記実施形態において、目標吸引力Ｐ１〜Ｐ３（８０Ｐａ，１００Ｐａ，２５０Ｐａ）は、これに限らず自由に設定してもよい。
・上記実施形態において、近似式に基づいて吸引力制御を行うにあたり、上述した近似式Ｅｑ１〜Ｅｑ６を外挿して使用してもよい。
【００５３】
・上記実施形態において、吸引力制御部３０は、連続紙Ｓの幅寸法と吸引力との関係から導出された三次以上の高次近似式に基づいて吸引力を制御してもよい。
・上記実施形態において、吸引力制御部３０は、支持面２６における吸引力を変化させるために吸引ファン２９に印加する電圧の大きさを変えてもよいし、吸引ファン２９を複数備えると共に動作させる吸引ファン２９の数を変えるようにしてもよい。
【００５４】
・上記実施形態において、媒体は、連続紙Ｓに限らず、単票紙であってもよい。
・上記実施形態において、プリンター１１は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【符号の説明】
【００５５】
１１…プリンター（液体噴射装置）、１４…媒体搬送装置の一部を構成する支持部、１７…媒体搬送装置の一部を構成する搬送部、２４…記録ヘッド（液体噴射ヘッド）、２５…支持部材（媒体支持部）、２６…支持面、２７…吸引孔、２９…吸引ファン（吸引部）、３０…吸引力制御部、３１…入力部、Ｓ…連続紙（媒体）、Ｅｑ１〜Ｅｑ３…一次近似式（近似式）、Ｅｑ４〜Ｅｑ６…二次近似式（近似式）。
【図１】
2013230570.tif 000003
【図２】
2013230570.tif 000004
【図３】
2013230570.tif 000005
【図４】
2013230570.tif 000006
【図５】
2013230570.tif 000007
【図６】
2013230570.tif 000008
【図７】
2013230570.tif 000009